(57)【要約】【課題】歯間への挿入性を高くしつつ、歯の側面及び歯間の清掃性を高めることが可能な歯間清掃具を提供すること。【解決手段】軸部（２０）を含む基部と、清掃部と、を備え、清掃部は、清掃部本体とブラシ部とを有し、清掃部本体は、先端被覆部（４２ａ）と基端被覆部（４２ｃ）とを含み、ブラシ部は、複数の先端ブラシと複数の基端ブラシとを含み、各先端ブラシのうち当該先端ブラシと先端被覆部（４２ａ）との接続部である先端接続部の面積の総和（Ａ１）の、先端被覆部（４２ａ）の外周面のうち先端接続部以外の部位の面積（Ａ２）に対する割合である先端割合は、各基端ブラシのうち当該基端ブラシと基端被覆部（４２ｃ）との接続部である基端接続部の面積の総和（Ｃ１）の、基端被覆部（４２ｃ）の外周面のうち基端接続部以外の部位の面積（Ｃ２）に対する割合である基端割合よりも小さいこと。【選択図】図２
2019118516.tif 000002
【特許請求の範囲】
【請求項１】
歯間に挿通されることが可能な形状を有する軸部を含む基部と、
前記軸部の少なくとも一部を被覆するとともに歯間を清掃可能な清掃部と、を備え、
前記清掃部は、
少なくとも前記軸部の先端部を含む部位を被覆する清掃部本体と、
前記清掃部本体の外周面に設けられたブラシ部と、を有し、
前記清掃部本体は、
前記軸部のうち前記先端部を含む先端領域を被覆する先端被覆部と、
前記軸部のうち前記先端部が位置する側とは反対側の部位を含む基端領域を被覆する基端被覆部と、を含み、
前記ブラシ部は、
それぞれが前記先端被覆部の外周面から外向きに突出する形状を有する複数の先端ブラシと、
それぞれが前記基端被覆部の外周面から外向きに突出する形状を有する複数の基端ブラシと、を含み、
前記先端被覆部の表面に存在する、各先端ブラシのうち当該先端ブラシと前記先端被覆部との接続部である先端接続部の面積の総和の、前記先端被覆部の外周面のうち前記先端接続部以外の部位の面積に対する割合である先端割合は、前記基端被覆部の表面に存在する、各基端ブラシのうち当該基端ブラシと前記基端被覆部との接続部である基端接続部の面積の総和の、前記基端被覆部の外周面のうち前記基端接続部以外の部位の面積に対する割合である基端割合よりも小さい、歯間清掃具。
【請求項２】
請求項１に記載の歯間清掃具において、
前記清掃部本体は、前記軸部のうち前記先端領域と前記基端領域との間に位置する中央領域を被覆する中央被覆部をさらに含み、
前記ブラシ部は、それぞれが前記中央被覆部の外周面から外向きに突出する形状を有する複数の中央ブラシをさらに含み、
前記中央被覆部の表面に存在する、各中央ブラシのうち当該中央ブラシと前記中央被覆部との接続部である中央接続部の面積の総和の、前記中央被覆部の外周面のうち前記中央接続部以外の部位の面積に対する割合である中央割合は、前記先端割合よりも大きく前記基端割合よりも小さい、歯間清掃具。
【請求項３】
請求項２に記載の歯間清掃具において、
前記先端割合は、１０％以下であり、
前記中央割合は、１２％以下であり、
前記基端割合は、１４％以下である、歯間清掃具。
【発明の詳細な説明】
【技術分野】
【０００１】
本発明は、歯間清掃具に関する。
【背景技術】
【０００２】
従来、歯間を清掃するための歯間清掃具が知られている。例えば、特許文献１には、合成樹脂からなる基部と、エラストマーからなる清掃部と、を備える歯間清掃具が開示されている。基部は、歯間に挿通されることが可能な形状を有する軸部と、指で把持されることが可能な形状を有する把持部と、を有している。清掃部は、軸部の外周面（先端部を含む部位）を被覆する清掃部本体と、それぞれが清掃部本体の外周面から外向きに突出する複数のブラシと、を有している。
【先行技術文献】
【特許文献】
【０００３】
【特許文献１】国際公開第２０１３／１７６２９７号
【発明の概要】
【発明が解決しようとする課題】
【０００４】
特許文献１に記載されるような歯間清掃具では、歯間に挿入されやすいことが望まれており、さらに、歯の側面及び歯間の清掃性（掻き取り性）を高めることが求められている。
【０００５】
本発明の目的は、歯間への挿入性を高くしつつ、歯の側面及び歯間の清掃性を高めることが可能な歯間清掃具を提供することである。
【課題を解決するための手段】
【０００６】
前記課題を解決するために鋭意検討した結果、本発明者らは、複数のブラシのうち清掃部本体の先端側の領域に設けられたブラシの割合と、複数のブラシのうち清掃部本体の基端側の領域に設けられたブラシの割合と、に着目した。具体的に、本発明者らは、清掃部本体の先端側の領域に設けられたブラシの割合を比較的小さくすることにより、清掃部の歯間への挿入抵抗を小さくすること、つまり、清掃部の歯間への挿入性を高めることが可能であり、かつ、清掃部本体の基端側の領域に設けられたブラシの割合を比較的大きくすることにより、当該領域における剛性（軸部及び清掃部を含む全体としての剛性）が高まり、また、歯垢の掻き取り性が高まること、つまり、歯の側面及び歯間の清掃性を高めることが可能であることに想到した。
【０００７】
本発明は、上記の観点に基づいてなされたものである。具体的に、本発明は、歯間に挿通されることが可能な形状を有する軸部を含む基部と、前記軸部の少なくとも一部を被覆するとともに歯間を清掃可能な清掃部と、を備え、前記清掃部は、少なくとも前記軸部の先端部を含む部位を被覆する清掃部本体と、前記清掃部本体の外周面に設けられたブラシ部と、を有し、前記清掃部本体は、前記軸部のうち前記先端部を含む先端領域を被覆する先端被覆部と、前記軸部のうち前記先端部が位置する側とは反対側の部位を含む基端領域を被覆する基端被覆部と、を含み、前記ブラシ部は、それぞれが前記先端被覆部の外周面から外向きに突出する形状を有する複数の先端ブラシと、それぞれが前記基端被覆部の外周面から外向きに突出する形状を有する複数の基端ブラシと、を含み、前記先端被覆部の表面に存在する、各先端ブラシのうち当該先端ブラシと前記先端被覆部との接続部である先端接続部の面積の総和の、前記先端被覆部の外周面のうち前記先端接続部以外の部位の面積に対する割合である先端割合は、前記基端被覆部の表面に存在する、各基端ブラシのうち当該基端ブラシと前記基端被覆部との接続部である基端接続部の面積の総和の、前記基端被覆部の外周面のうち前記基端接続部以外の部位の面積に対する割合である基端割合よりも小さい、歯間清掃具を提供する。
【０００８】
本歯間清掃具では、先端割合（先端側の領域におけるブラシの割合）が相対的に小さく、基端割合（基端側の領域におけるブラシの割合）が相対的に大きいので、清掃部の歯間への挿入性と、清掃部による歯の側面及び歯間の清掃性と、の双方が高まる。具体的に、先端割合が相対的に小さいことにより、清掃部の歯間への挿入抵抗が小さくなり、つまり、清掃部の歯間への挿入性が高まり、かつ、基端割合が相対的に大きいことにより、基端領域、基端被覆部及び基端ブラシを含め当該領域全体としての剛性が相対的に大きくなり、また、歯垢の掻き取り性が高まる、つまり、歯の側面及び歯間の清掃性が高まる。
【０００９】
また、前記清掃部本体は、前記軸部のうち前記先端領域と前記基端領域との間に位置する中央領域を被覆する中央被覆部をさらに含み、前記ブラシ部は、それぞれが前記中央被覆部の外周面から外向きに突出する形状を有する複数の中央ブラシをさらに含み、前記中央被覆部の表面に存在する、各中央ブラシのうち当該中央ブラシと前記中央被覆部との接続部である中央接続部の面積の総和の、前記中央被覆部の外周面のうち前記中央接続部以外の部位の面積に対する割合である中央割合は、前記先端割合よりも大きく前記基端割合よりも小さいことが好ましい。
【００１０】
また、前記先端割合は、１０％以下であり、前記中央割合は、１２％以下であり、前記基端割合は、１４％以下であることが好ましい。
【００１１】
このようにすれば、清掃部の歯間への挿入性がより高まり、清掃部による歯の側面及び歯間の清掃性がより高まる。
【発明の効果】
【００１２】
以上のように、本発明によれば、歯間への挿入性を高くしつつ、歯の側面及び歯間の清掃性を高めることが可能な歯間清掃具を提供することができる。
【図面の簡単な説明】
【００１３】
【図１】本発明の一実施形態の歯間清掃具を含む歯間清掃具群の正面図である。
【図２】図１に示される歯間清掃部の清掃部の拡大図である。
【図３】先端接続部、中央接続部及び基端接続部と、清掃部本体のうち各接続部以外の部位と、の概略を示す図である。
【図４】実施例及び比較例における各部位の面積及び割合を示す表である。
【発明を実施するための形態】
【００１４】
本発明の一実施形態の歯間清掃具１について、図１〜図３を参照しながら説明する。図１に示されるように、歯間清掃具１は、基部１０と、清掃部４０と、を備えている。
【００１５】
基部１０は、ポリプロピレン、ポリエチレン、ＡＢＳ、ポリブチレンテレフタレート、ポリカーボネート、ポリエチレンテレフタレート、ポリスチレン、ポリアセタール等の合成樹脂により形成される。本実施形態では、基部１０は、ガラス繊維を３０重量％含有するポリプロピレンにより形成されている。この基部１０は、軸部２０と、把持部３０と、を有する。
【００１６】
軸部２０は、特定方向（図１の左右方向）に沿って直線状に延びるとともに歯間に挿通されることが可能な形状を有する。軸部２０の軸方向（図１の左右方向）と直交する平面での軸部２０の断面は、円形である。なお、前記断面は、楕円形や多角形等であってもよい。本実施形態では、軸部２０は、当該軸部の基端部から先端２１（図２を参照）に向かうにしたがって次第にその外径が小さくなる円柱状に形成されている。軸部２０の中心軸を通る平面での当該軸部２０の断面における、軸部２０の中心軸と軸部２０の外縁部を通る直線とのなす角は、歯間への挿入抵抗を小さくし、かつ優れた剛性と高い清掃性を得られるという観点から、０．４５度以上１０度以下に設定されることが好ましい。
【００１７】
把持部３０は、軸部２０の軸方向に沿って軸部２０の基端部から離間するように延びており、指で把持されることが可能な形状を有する。把持部３０は、扁平に形成されている。図１に示されるように、各歯間清掃具１の把持部３０同士は、連結片３２で連結されている。
【００１８】
以上に説明した基部１０は、例えば、次のようにして製造される。すなわち、基部１０は、基部１０に対応する形状の空間を有する１次成形金型（図示略）内に、ガラス繊維を３０重量％含有するポリプロピレンからなる固形物（ペレット状のもの）を溶融させながら流し込むことによって形成される。
【００１９】
次に、清掃部４０について説明する。清掃部４０は、歯間を清掃するための部位であり、基部１０の硬度よりも低い硬度を有する樹脂材料により形成されている。具体的に、前記樹脂材料として、スチレン系エラストマーが用いられている。ただし、前記樹脂材料として、シリコン、オレフィン系エラストマー、ポリエステル系エラストマー等が用いられてもよい。本実施形態では、清掃部４０は、清掃部本体４２と、ブラシ部４４と、を有する。
【００２０】
清掃部本体４２は、軸部２０のうち当該軸部２０の先端部を含む部位を被覆する。具体的に、清掃部本体４２は、先端被覆部４２ａと、中央被覆部４２ｂと、基端被覆部４２ｃと、を有する。
【００２１】
先端被覆部４２ａは、軸部２０の先端領域２０ａを被覆する。図２に示されるように、先端領域２０ａは、軸部２０のうち当該軸部２０の先端２１から当該先端２１から基端部に向かって所定寸法ｈだけ離間した位置までの領域を指す。この先端領域２０ａの直径は、歯間への挿入抵抗を小さくし、かつ優れた剛性が得られるという観点から、０．３ｍｍ以上１．５ｍｍ以下に設定されることが好ましく、０．３ｍｍ以上０．９ｍｍ以下に設定されることがより好ましく、０．３ｍｍ以上０．７ｍｍ以下に設定されることが更に好ましい。また、先端被覆部４２ａの直径は、歯間への挿入抵抗を小さくし、かつ優れた剛性が得られるという観点から、０．４ｍｍ以上１．６ｍｍ以下に設定されることが好ましく、０．４ｍｍ以上１ｍｍ以下に設定されることがより好ましく、０．４ｍｍ以上０．８ｍｍ以下に設定されることが更に好ましい。
【００２２】
中央被覆部４２ｂは、軸部２０の中央領域２０ｂを被覆する。中央領域２０ｂは、軸部２０のうち当該軸部２０の先端２１から基端部側に所定寸法ｈだけ離間した位置から当該位置からさらに基端部側に向かって前記所定寸法ｈだけ離間した位置までの領域を指す。この中央領域２０ｂの直径は、優れた剛性が得られ、かつ高い清掃性を得られるという観点から、０．４ｍｍ以上１．８ｍｍ以下に設定されることが好ましく、０．４ｍｍ以上１．５ｍｍ以下に設定されることがより好ましく、０．４ｍｍ以上１．３ｍｍ以下に設定されることが更に好ましい。また、中央被覆部４２ｂの直径は、優れた剛性が得られ、かつ高い清掃性を得られるという観点から、０．５ｍｍ以上２ｍｍ以下に設定されることが好ましく、０．５ｍｍ以上１．７ｍｍ以下に設定されることがより好ましく、０．５ｍｍ以上１．５ｍｍ以下に設定されることが更に好ましい。
【００２３】
基端被覆部４２ｃは、軸部２０の基端領域２０ｃを被覆する。基端領域２０ｃは、軸部２０のうち当該軸部２０の先端２１から基端部側に所定寸法ｈの２倍の寸法２ｈだけ離間した位置から当該位置からさらに基端部側に向かって前記所定寸法ｈだけ離間した位置までの領域を指す。この基端領域２０ｃの直径は、優れた剛性が得られ、かつ高い清掃性を得られるという観点から、０．５ｍｍ以上２．５ｍｍ以下に設定されることが好ましい。また、基端被覆部４２ｃの直径は、優れた剛性が得られ、かつ高い清掃性を得られるという観点から、０．６ｍｍ以上２．８ｍｍ以下に設定されることが好ましい。
【００２４】
本実施形態では、前記所定寸法ｈは、５ｍｍに設定されている。ただし、軸部２０の軸方向についての先端領域２０ａの寸法、中央領域２０ｂの寸法及び基端領域２０ｃの寸法がそれぞれ同じに設定されるのであれば、前記所定寸法ｈは、５ｍｍに限られない。当該所定寸法ｈは、歯間への挿入抵抗を小さくし、かつ優れた剛性と高い清掃性を得られるという観点から、例えば、３ｍｍ以上７ｍｍ以下、好ましくは４ｍｍ以上６ｍｍ以下に設定される。
【００２５】
なお、軸部２０の中心軸を通る平面での清掃部本体４２の断面における、軸部２０の中心軸と清掃部本体４２の外縁部を通る直線とのなす角は、歯間への挿入抵抗を小さくし、かつ優れた剛性と高い清掃性を得られるという観点から、０．５度以上１１度以下に設定されることが好ましい。また、同様の観点から、当該角は、軸部２０の中心軸と軸部２０の外縁部を通る直線とのなす角よりも大きいことが好ましい。
【００２６】
ブラシ部４４は、清掃部本体４２の外周面に設けられている。具体的に、ブラシ部４４は、複数の先端ブラシ４４ａと、複数の中央ブラシ４４ｂと、複数の基端ブラシ４４ｃと、を有する。各先端ブラシ４４ａは、先端被覆部４２ａの外周面から外向きに突出する形状を有する。各中央ブラシ４４ｂは、中央被覆部４２ｂの外周面から外向きに突出する形状を有する。各基端ブラシ４４ｃは、基端被覆部４２ｃの外周面から外向きに突出する形状を有する。本実施形態では、各ブラシ４４ａ〜４４ｃは、各被覆部４２ａ〜４２ｃの外周面から軸部２０の軸方向と直交する方向（以下、「軸直交方向」という。）に沿って突出する形状を有している。各ブラシ４４ａ〜４４ｃは、各被覆部４２ａ〜４２ｃの外周面から離間するにしたがって次第に当該ブラシ４４ａ〜４４ｃの外形が小さくなる形状を有する。具体的に、各ブラシ４４ａ〜４４ｃは、円錐状に形成されている。先端ブラシ４４ａの外形よりも中央ブラシ４４ｂの外形の方が大きく、中央ブラシ４４ｂの外形よりも基端ブラシ４４ｃの外形の方が大きい。先端ブラシ４４ａの長さ（前記軸直交方向についての先端被覆部４２ａからの突出量）は、歯間への挿入抵抗を小さくし、かつ優れた剛性が得られるという観点から、０．１ｍｍ以上２ｍｍ以下に設定されることが好ましく、０．１ｍｍ以上１．２ｍｍ以下に設定されることがより好ましく、０．１ｍｍ以上０．８ｍｍ以下に設定されることが更に好ましい。中央ブラシ４４ｂの長さ（前記軸直交方向についての中央被覆部４２ｂからの突出量）は、歯間の総通性に優れ、かつ優れた剛性と高い清掃性を得られるという観点から、０．１ｍｍ以上３ｍｍ以下に設定されることが好ましく、０．１ｍｍ以上１．５ｍｍ以下に設定されることがより好ましく、０．１ｍｍ以上１．２ｍｍ以下に設定されることが更に好ましい。基端ブラシ４４ｃの長さ（前記軸直交方向についての基端被覆部４２ｃからの突出量）は、優れた剛性と高い清掃性を得られるという観点から、０．１ｍｍ以上３．５ｍｍ以下に設定されることが好ましい。
【００２７】
本実施形態では、各先端ブラシ４４ａのうち当該先端ブラシ４４ａと先端被覆部４２ａとの接続部である先端接続部の面積の総和Ａ１（図３を参照）の、先端被覆部４２ａの外周面のうち前記先端接続部以外の部位の面積Ａ２（図３を参照）に対する割合である先端割合Ａ１／Ａ２は、各中央ブラシ４４ｂのうち当該中央ブラシ４４ｂと中央被覆部４２ｂとの接続部である中央接続部の面積の総和Ｂ１の、中央被覆部４２ｂの外周面のうち前記中央接続部以外の部位の面積Ｂ２に対する割合である中央割合Ｂ１／Ｂ２よりも小さい。また、中央割合Ｂ１／Ｂ２は、各基端ブラシ４４ｃのうち当該基端ブラシ４４ｃと基端被覆部４２ｃとの接続部である基端接続部の面積の総和Ｃ１の、基端被覆部４２ｃの外周面のうち前記基端接続部以外の部位の面積Ｃ２に対する割合である基端割合Ｃ１／Ｃ２よりも小さい。具体的に、先端割合Ａ１／Ａ２は、歯間への挿入抵抗を小さくし、かつ優れた剛性が得られるという観点から、０％よりも大きく１０％以下に設定されることが好ましく、０％よりも大きく７％以下に設定されることがより好ましく、０．１％以上６．５％以下に設定されることが更に好ましい。中央割合Ｂ１／Ｂ２は、優れた剛性が得られ、かつ高い清掃性を得られるという観点から、６％よりも大きく１２％以下に設定されることが好ましく、６％よりも大きく９％以下に設定されることが好ましく、６．５％以上８．５％以下に設定されることが更に好ましい。基端割合Ｃ１／Ｃ２は、優れた剛性が得られ、かつ高い清掃性を得られるという観点から、８．５％よりも大きく１４％以下に設定されることが好ましく、８．５％よりも大きく１２％以下に設定されることがより好ましく、９％以上１１％以下に設定されることが更に好ましい。また、先端接続部の面積Ａ１は、０．０５ｍｍ２以上１．５ｍｍ２以下であることが好ましく、０．１ｍｍ２以上１．１ｍｍ２以下であることがより好ましく、０．１ｍｍ２以上１．６ｍｍ２以下であることが更に好ましい。中央接続部の面積Ｂ１は、０．１ｍｍ２以上２ｍｍ２以下であることが好ましく、０．３ｍｍ２以上１．７ｍｍ２以下であることがより好ましく、０．５ｍｍ２以上１．２ｍｍ２以下であることが更に好ましい。基端接続部の面積Ｃ１は、０．５ｍｍ２以上３．５ｍｍ２以下であることが好ましく、０．７ｍｍ２以上３ｍｍ２以下であることがより好ましく、０．９ｍｍ２以上２ｍｍ２以下であることがより好ましい。ここで、前記面積の総和Ａ１は、先端被覆部４２ａの表面に存在する各先端接続部の面積の総和であり、前記面積の総和Ｂ１は、中高被覆部４２ｂの表面に存在する各中央接続部の面積の総和であり、前記面積の総和Ｃ１は、基端被覆部４２ｃの表面に存在する各基端接続部の面積の総和である。なお、図３では、各接続部が白抜きによって示されており、各面積Ａ２〜Ｃ２が斜線によって示されている。
【００２８】
以上に説明したように、本実施形態の歯間清掃具１では、先端割合Ａ１／Ａ２が相対的に小さく、基端割合Ｃ１／Ｃ２が相対的に大きいので、清掃部４０の歯間への挿入性と、清掃部４０による歯の側面及び歯間の清掃性と、の双方が高まる。具体的に、先端割合Ａ１／Ａ２が相対的に小さいことにより、清掃部４０の歯間への挿入抵抗が小さくなり、つまり、清掃部４０の歯間への挿入性が高まり、かつ、基端割合Ｃ１／Ｃ２が相対的に大きいことにより、基端領域２０ｃ、基端被覆部４２ｃ及び基端ブラシ４４ｃを含め当該領域全体としての剛性が相対的に大きくなり、歯垢の掻き取り性も高まる、つまり、歯の側面及び歯間の清掃性が高まる。
【００２９】
また、先端割合Ａ１／Ａ２が１０％以下であり、中央割合Ｂ１／Ｂ２が１２％以下であり、基端割合Ｃ１／Ｃ２が１４％以下であるので、清掃部４０の歯間への挿入性がより高まり、清掃部４０による歯の側面及び歯間の清掃性がより高まる。
【００３０】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３１】
例えば、各ブラシ４４ａ〜４４ｃの形状は、円錐状に限られない。各ブラシ４４ａ〜４４ｃの形状は、多角錐状であってもよく、また、円柱状や多角柱状であってもよい。
【００３２】
また、中央被覆部４２ｂ及び中央ブラシ４４ｂは、省略されてもよい。この場合、前記軸方向についての先端領域２０ａの寸法及び基端領域２０ｃの寸法の和が１５ｍｍ以上に設定され、かつ、先端領域２０ａの寸法及び基端領域２０ｃの寸法が互いに等しく設定される。
【００３３】
また、上記実施形態のように、歯間への挿入抵抗を小さくし、かつ優れた剛性と高い清掃性を得られるという観点から、先端領域２０ａ、中央領域２０ｂ、基端領域２０ｃそれぞれの領域内において、先端側に位置するブラシの接続部の面積の方が、基端側に位置する接続部の面積よりも小さくなるよう設計されることが好ましい。ただし、先端領域２０ａ、中央領域２０ｂ、基端領域２０ｃそれぞれの領域内において、各ブラシの接続部の面積は、面積の大きいものと小さいものとが不規律に混在していてもよく、また、各領域内における各ブラシの接続部の面積が全て同一であってもよい。
【００３４】
また、軸部２０の軸方向は、把持部３０の長手方向と交差していてもよい。また、軸部２０は、湾曲していてもよい。
【実施例】
【００３５】
上記実施形態の歯間清掃具１について、２種類の実施例を作成するとともに、前記実施例に対する１種類の比較例を作成した。各実施例及び比較例の各面積Ａ１〜Ｃ３、先端割合Ａ１／Ａ２、中央割合Ｂ１／Ｂ２及び基端割合Ｃ１／Ｃ２は、図４に示されるとおりである。
【００３６】
図４より、いずれの実施例においても、歯間への挿入性及び掻き取り性（歯の側面及び歯間の清掃性）の双方が良好であることが確認された。一方、比較例においては、掻き取り性は良好である一方、歯間への挿入性は悪いことが確認された。
【００３７】
また、実施例１及び２より、先端割合Ａ１／Ａ２が１０％以下、中央割合Ｂ１／Ｂ２が１２％以下、かつ、基端割合Ｃ１／Ｃ２が１４％以下という条件を満たすことにより、歯間への挿入性及び掻き取り性がより良好になることが確認され、実施例１より、先端割合Ａ１／Ａ２が０％より大きく７％以下、中央割合Ｂ１／Ｂ２が６％よりも大きく９％以下、かつ、基端割合Ｃ１／Ｃ２が８．５％よりも大きく１２％以下という条件を満たすことにより、歯間への挿入性が更に良好になることが確認された。
【符号の説明】
【００３８】
１    歯間清掃具
１０    基部
２０    軸部
２０ａ  先端領域
２０ｂ  中央領域
２０ｃ  基端領域
２１    先端
３０    把持部
４０    清掃部
４２    清掃部本体
４２ａ  先端被覆部
４２ｂ  中央被覆部
４２ｃ  基端被覆部
４４    ブラシ部
４４ａ  先端ブラシ
４４ｂ  中央ブラシ
４４ｃ  基端ブラシ
【図１】
2019118516.tif 000003
【図２】
2019118516.tif 000004
【図３】
2019118516.tif 000005
【図４】
2019118516.tif 000006